(57)【要約】【課題】  デジタルスチルカメラ等に好適なズームレンズにおいて、沈胴時の薄型化が可能で高変倍比を有しつつも、望遠端での軸上色収差をはじめとする諸収差を十分に補正することを可能にしたズームレンズ及び光学機器を提供すること。【解決手段】  上記目的を達成するために、本発明は、物体側から順に正負の２群とそれに続く後続群を有し、第１群を負正２枚のレンズで構成して、第１群の屈折力と形状を適切に配置し、第３群に適切な変倍分担を有する構成とした。【選択図】  図１
2012247452.tif 000002
【特許請求の範囲】
【請求項１】
物体側から順に、
正の屈折力を有する第１群、
負の屈折力を有する第２群、
正の屈折力を有する後続レンズ群を有し、
変倍時に少なくとも２つの群が可動で、
前記第１群が物体側から順に、負、正の２枚のレンズから構成され、
以下の条件式を満足するズームレンズ。
１０＜ｆ１／ｆｗ＜１５                                       ……(１)    
５＜Ｒ／ｆｗ＜２０                                           ……(２)    
０．３０＜ｚ３／ｚ＜０．４５                                        ……(３)    
但し、ｆ１：前記第１群の焦点距離
ｆｗ：広角端における焦点距離
Ｒ：前記第１群中の正レンズの物体側の面の曲率半径
ｚ３：前記第３群の変倍比
ｚ：全系の変倍比
【請求項２】
前記第２群が物体側から順に、負、正の２枚のレンズから構成される
請求項１に記載のズームレンズ。
【請求項３】
以下の条件式を満足する、請求項１に記載のズームレンズ。
８＜ｚ２・ｚ３＜１８                                                ……(４)    
ただし、ｚ２：前記第２群の変倍比
【請求項４】
前記後続群は、物体側から順に、正の屈折力を有する第３群、正の屈折力を有する第４群を有することを特徴とする請求項１に記載のズームレンズ。
【請求項５】
以下の条件式を満足する、請求項４に記載のズームレンズ。
１．７＜ｆ３／ｆｗ＜２．５                                          ……(５)    
但し、ｆ３：前記第３群の焦点距離
【請求項６】
以下の条件式を満足する、請求項４に記載のズームレンズ。
５．０＜ｆ１／ｆ３＜１０．０                                        ……(６)    
【発明の詳細な説明】
【技術分野】
【０００１】
本発明は、ズームレンズ及びそれを有する光学機器に関し、例えば、デジタルスチルカメラ、ビデオカメラ等に好適なものである。
【背景技術】
【０００２】
最近、デジタルスチルカメラの画素数が飛躍的に増している一方で、カメラ本体の小型化、軽量化がすすんでいる。また、変倍比が１０倍を超えるような高倍仕様のカメラが次々と開発されてきている。
【０００３】
例えば、特許文献１では、高倍率でありながら小型で低コストなズームレンズが開示されている。また、特許文献２では、沈胴長が短く、高性能な高変倍ズームレンズが開示されている。
【先行技術文献】
【特許文献】
【０００４】
【特許文献１】特開平１１−２４２１５９号公報
【特許文献２】特開２００６−１３３６３１号公報
【発明の概要】
【発明が解決しようとする課題】
【０００５】
しかしながら、上述の特許文献１に開示された技術では、各レンズ群厚が大きいため、沈胴時の全長が大きくなり、また十分な高変倍比を達成していない。また、特許文献２に開示された技術では、各レンズ群厚が大きいため、沈胴時の全長が大きくなり、また望遠側での色収差をはじめとする諸収差が十分に補正されていない。
【０００６】
本発明の目的は、沈胴時の薄型化が可能で高変倍比を有しつつも、望遠端での軸上色収差をはじめとする諸収差を十分に補正することを可能にしたズームレンズ及び光学機器を提供することである。
【課題を解決するための手段】
【０００７】
上記目的を達成するために、本発明は、
物体側から順に、
正の屈折力を有する第１群、
負の屈折力を有する第２群、
正の屈折力を有する後続レンズ群を有し、
変倍時に少なくとも２つの群が可動で、
前記第１群が物体側から順に、負、正の２枚のレンズから構成され、
以下の条件式を満足するズームレンズ。
【０００８】
１０＜ｆ１／ｆｗ＜１５                                       ……(１)    
５＜Ｒ／ｆｗ＜２０                                           ……(２)    
０．３０＜ｚ３／ｚ＜０．４５                                        ……(３)    
但し、ｆ１：前記第１群の焦点距離
ｆｗ：広角端における焦点距離
Ｒ：前記第１群中の正レンズの物体側の面の曲率半径
ｚ３：前記第３群の変倍比
ｚ：全系の変倍比
であることを特徴とする。
【発明の効果】
【０００９】
本発明によれば沈胴時の薄型化が可能で高変倍比を有しつつも、色収差をはじめとする諸収差を十分に補正することを可能にしたズームレンズ及び光学機器を提供することができる。
【図面の簡単な説明】
【００１０】
【図１】本発明の数値実施例１の広角端におけるレンズ断面図及びズーム軌跡
【図２】本発明の数値実施例１の広角端における収差図
【図３】本発明の数値実施例１の望遠端における収差図
【図４】本発明の数値実施例２の広角端におけるレンズ断面図及びズーム軌跡
【図５】本発明の数値実施例２の広角端における収差図
【図６】本発明の数値実施例２の望遠端における収差図
【図７】本発明の数値実施例３の広角端におけるレンズ断面図及びズーム軌跡
【図８】本発明の数値実施例３の広角端における収差図
【図９】本発明の数値実施例３の望遠端における収差図
【図１０】本発明の数値実施例４の広角端におけるレンズ断面図及びズーム軌跡
【図１１】本発明の数値実施例４の広角端における収差図
【図１２】本発明の数値実施例４の望遠端における収差図
【発明を実施するための形態】
【００１１】
以下、本発明の実施形態について説明する。
【００１２】
図１、４、７はそれぞれ本発明の数値実施例１、２、３の広角端におけるレンズ断面図及びズーム軌跡である。図２、５、８はそれぞれ本発明の数値実施例１、２、３の広角端の収差図である。図３、６、９はそれぞれ本発明の数値実施例１、２、３の望遠端の収差図である。
【００１３】
各レンズ断面図において、Ｌiは第i群、ＳＰは絞り、ＩＰは像面をあらわしている。図中の*印は非球面位置をあらわしている。
【００１４】
各収差図において、ｄ、ｇは各々ｄ線及びｇ線、ΔＭ、ΔＳはメリジオナル像面、サジタル像面を表している。倍率色収差はｇ線であらわしている。
【００１５】
以下、各実施形態について１つずつ説明する。
【００１６】
［実施例１］
図１に示す実施例１は、物体側から順に、正の屈折力を有する第１群Ｌ１、負の屈折力を有する第２群Ｌ２、正の屈折力を有する第３群Ｌ３、正の屈折力を有する第４群Ｌ４で構成されている。広角端から望遠端への変倍の際、Ｌ１は物体側に移動し、Ｌ２は像側に移動し、Ｌ３は物体側に移動し、Ｌ４は像面位置を補正するように移動している。Ｌ２、Ｌ３、Ｌ４にそれぞれ非球面を設け、球面収差や像面湾曲、コマ収差などを補正している。絞りＳＰをＬ３の物体側に設けている。Ｌ４と像面ＩＰの間には水晶ローパスフィルタや赤外カットフィルタ等のガラスブロックＧを設けている。
【００１７】
［実施例２］
図４に示す実施例２は、物体側から順に、正の屈折力を有する第１群Ｌ１、負の屈折力を有する第２群Ｌ２、正の屈折力を有する第３群Ｌ３、正の屈折力を有する第４群Ｌ４で構成されている。広角端から望遠端への変倍の際、Ｌ１は物体側に移動し、Ｌ２は像側に移動し、Ｌ３は物体側に移動し、Ｌ４は像面位置を補正するように移動している。Ｌ２、Ｌ３、Ｌ４にそれぞれ非球面を設け、球面収差や像面湾曲、コマ収差などを補正している。絞りＳＰをＬ３の物体側に設けている。Ｌ４と像面ＩＰの間には水晶ローパスフィルタや赤外カットフィルタ等のガラスブロックＧを設けている。尚、本実施例２では、前記第１群中の負レンズに、高分散でありながら部分分散の小さい材料を設けることで、更なる望遠端での軸上色収差の補正を可能としている。詳細な材料特性に関しては後述する。
【００１８】
［実施例３］
図７に示す実施例３は、物体側から順に、正の屈折力を有する第１群Ｌ１、負の屈折力を有する第２群Ｌ２、正の屈折力を有する第３群Ｌ３、正の屈折力を有する第４群Ｌ４で構成されている。広角端から望遠端への変倍の際、Ｌ１は物体側に移動し、Ｌ２は像側に移動し、Ｌ３は物体側に移動し、Ｌ４は像面位置を補正するように移動している。Ｌ２、Ｌ３、Ｌ４にそれぞれ非球面を設け、球面収差や像面湾曲、コマ収差などを補正している。絞りＳＰをＬ３の物体側に設けている。Ｌ４と像面ＩＰの間には水晶ローパスフィルタや赤外カットフィルタ等のガラスブロックＧを設けている。尚、本実施例３では、前記第１群中の負レンズ、正レンズに高い屈折力を有する材料を用いている。このようにすることで、第１群を更に薄型化することが可能となっている。
【００１９】
［実施例４］
図１０に示す実施例４は、物体側から順に、正の屈折力を有する第１群Ｌ１、負の屈折力を有する第２群Ｌ２、正の屈折力を有する第３群Ｌ３、正の屈折力を有する第４群Ｌ４、正の屈折力を有する第５群Ｌ５で構成されている。広角端から望遠端への変倍の際、Ｌ１は物体側に移動し、Ｌ２は像側に移動し、Ｌ３は物体側に移動し、Ｌ４は像面位置を補正するように移動し、Ｌ５は固定されている。Ｌ２、Ｌ３、Ｌ４にそれぞれ非球面を設け、球面収差や像面湾曲、コマ収差などを補正している。絞りＳＰをＬ３の物体側に設けている。Ｌ５と像面ＩＰの間には水晶ローパスフィルタや赤外カットフィルタ等のガラスブロックＧを設けている。
【００２０】
各実施例は、物体側から順に、正の屈折力を有する第１群、負の屈折力を有する第２群、正の屈折力を有する後続レンズ群を有し、変倍時に少なくとも２つの群が可動で、前記第１群が物体側から順に、負、正の２枚のレンズから構成され、以下の条件式を満足している。
【００２１】
１０＜ｆ１／ｆｗ＜１５                                       ……(１)    
５＜Ｒ／ｆｗ＜２０                                           ……(２)    
０．３０＜ｚ３／ｚ＜０．４５                                        ……(３)    
条件式（１）は、レンズの沈胴時の薄型化を達成しつつ、色収差をはじめとした諸収差を良好に補正するための条件を規定している。上限を超えると、望遠端における全長が長くなりすぎてしまう。また、下限を超えると後群の倍率が高くなり、第１群で発生した収差をより大きく拡大してしまう。
【００２２】
条件式（２）は、レンズ沈胴時の薄型化を達成するための条件を規定している。上限を超えると、第1群中の正レンズの曲率が小さくなり、望遠端における色収差の補正が困難となる。また、下限を超えると、第1群中の正レンズの曲率が大きくなり、レンズコバを確保しようした際にレンズ肉厚が増大し、第1群のレンズ群厚の増大により沈胴時の全長が大きくなってしまう。
【００２３】
条件式（３）は、レンズ沈胴時の薄型化と、望遠端の色収差をはじめとした諸収差を良好に補正することと、高変倍比を同時に満足するための第３群の変倍分担に関する条件を規定している。上限を超えると、第３群の変倍作用が強くなりすぎ、球面収差やコマ収差などの収差補正が困難になる。また、下限を超えると第２群での変倍分担が増大するため、変倍作用が強くなりすぎ、像面湾曲やコマ収差曲などの軸外収差の補正が困難となる。
【００２４】
同理由から更に好ましくは以下の条件式（１a）、（２a）、（３a）を満足するとよい。
【００２５】
１２＜ｆ１／ｆｗ＜１５                                       ……(１a)    
５＜Ｒ／ｆｗ＜１２                                           ……(２a)    
０．３５＜ｚ３／ｚ＜０．４５                                        ……(３a)    
また、各実施例は、第２群が物体側から順に、負、正の２枚のレンズから構成されている。
【００２６】
第２群を２枚構成とすることで、沈胴時の薄型化を達成している。
【００２７】
また、各実施例は、以下の条件式を満足している。
【００２８】
８＜ｚ２・ｚ３＜１８                                                ……(４)    
条件式（４）は、主な変倍レンズ群で担う変倍比を規定している。上限を超えると、各レンズ群の変倍時の移動量が大きくなりすぎて沈胴時の薄型化が達成困難になる。また、下限を超えると高変倍比を達成できなくなる。
【００２９】
同理由から更に好ましくは以下の条件式（４a）を満足するとよい。
【００３０】
８＜ｚ２・ｚ３＜１５                                                ……(４a)    
また、各実施例は、以下の条件式を満足している。
【００３１】
１．７＜ｆ３／ｆｗ＜２．５                                          ……(５)    
但し、ｆ３：前記第３群の焦点距離
条件式（５）は、第３群の適切な屈折力を規定している。上限を超えると、第３群の変倍時の移動量が大きくなりすぎて沈胴時の薄型化が達成困難になる。また、下限を超えると第３群の屈折力が強くなりすぎ、球面収差やコマ収差などの収差補正が困難になる。
【００３２】
同理由から更に好ましくは以下の条件式（５a）を満足するとよい。
【００３３】
１．８＜ｆ３／ｆｗ＜２．３                                          ……(５a)    
また、各実施例は、以下の条件式を満足している。
【００３４】
５．０＜ｆ１／ｆ３＜１０．０                                        ……(６)    
条件式（６）は、第１群と第３群の屈折力の適切な配分を規定している。上限を超えると、第１群の変倍時の移動量が大きくなりすぎて沈胴時の薄型化が達成困難になる。また、下限を超えると第１群の屈折力が大きくなりすぎて望遠域での色収差の補正が困難になる。
【００３５】
同理由から更に好ましくは以下の条件式（６a）を満足するとよい。
【００３６】
５．０＜ｆ１／ｆ３＜８．０                                          ……(６a)    
また、実施例２は、Ｌ１中の負レンズに、以下の条件式（７）、（８）を満足する材料を用いている。この材料は高分散でありながら部分分散が低い特性を有している。この材料を用いることで更に望遠端での軸上色収差を良好に補正することが可能である。
−１．６８Ｅ−３×νｄ＋０．５９０＜θｇＦ＜３．１５Ｅ−４×νｄ＾２−１．８６Ｅ−２×νｄ＋０．８７８                                             ……(７)
５＜νｎ１ｄ＜２７                                             ……(８)
同理由から更に好ましくは以下の条件式（７ａ）、（８ａ）を満足するとよい。
−１．６８Ｅ−３×νｄ＋０．６１０＜θｇＦ＜３．１５Ｅ−４×νｄ＾２−１．８６Ｅ−２×νｄ＋０．８７８                                             ……(７a)
１０＜νｎ１ｄ＜２７                                           ……(８a) 
同理由から更に好ましくは以下の条件式（７ｂ）、（８ｂ）を満足するとよい。
−１．６８Ｅ−３×νｄ＋０．６２０＜θｇＦ＜３．１５Ｅ−４×νｄ＾２−１．８６Ｅ−２×νｄ＋０．８７８                                             ……(７b)
１５＜νｎ１ｄ＜２７                                           ……(８b)
また、実施例３は、第１群中の負レンズ及び正レンズを高屈折率を有する材料で構成している。より好ましくは１．８以上の屈折率を有する材料で構成することが望ましい。２．０以上の屈折率を有する材料で構成すれば、更に薄型化が可能である。
【００３７】
以上、本発明の好ましい実施形態について説明したが、本発明はこれらの実施形態に限定されず、その要旨の範囲内で種々の変形及び変更が可能である。
【００３８】
次に本発明の数値実施例を示す。
【００３９】
数値実施例においてｆは焦点距離、ＦｎｏはＦナンバー、２ωは包括画角である。Ｒｉは物体側より順に第ｉ番目のレンズ面の曲率半径、Ｄｉは第ｉ番目のレンズ厚または空気間隔、ＮｉとＶｉは第ｉ番目のレンズの材質の屈折率とアッベ数である。また、非球面形状はレンズ面の中心部の曲率半径をＲとし、光軸方向をＸ軸とし、光軸と垂直方向をＹ軸とし、非球面係数をそれぞれＫ、Ｂ、Ｃ、Ｄ、Ｅとしたとき、
Ｘ＝      （１／Ｒ）Ｙ２                    
１＋｛１―（Ｋ＋１）(Ｙ／Ｒ)２｝１／２ 
＋ＢＹ４＋ＣＹ６＋ＤＹ８＋ＥＹ１０
であらわされるものとする。
【００４０】
表１には本発明の上述した条件式と数値実施例の関係を示す。
数値実施例  1
面データ
面番号       r        d      nd         vd       有効径
1         50.072    0.80   1.84666    23.8       20.62
2         31.178    2.72   1.82750    51.5       20.21
3        340.903  (可変)                         19.88
4*         ∞       0.80   1.97500    39.5       15.50
5*         7.009    1.72                         12.70
6*        11.590    1.93   2.23260    16.9       12.79
7*        18.917  (可変)                         12.38
8(絞り)    ∞      -0.30                          5.14
9*         4.675    1.74   1.56907    71.3        5.20
10*       -18.650    0.10                          4.93
11          6.711    1.03   1.49700    81.5        4.50
12          6.112    0.50   1.84666    23.8        3.85
13          3.366  (可変)                          3.40
14*        17.616    1.60   1.86400    40.6        7.98
15*        54.049  (可変)                          7.86
16          ∞       1.00   1.51633    64.1       15.00
17          ∞       0.62                         15.00
像面           
非球面データ
第4面
K = 1.67060e+011  A 4= 9.74429e-006  A 6=-6.64890e-007  A 8=-1.01630e-008  A10= 8.84537e-011  
第5面
K =-1.23466e-001  A 4= 6.76022e-005  A 6=-1.07899e-005  A 8= 2.88026e-007  A10=-6.75768e-009  
第6面
K = 2.78188e-001  A 4=-1.80792e-004  A 6=-2.79077e-006  A 8= 1.06038e-007  A10=-8.17326e-010  
第7面
K = 5.42467e+000  A 4=-4.27580e-004  A 6= 3.60839e-006  A 8=-1.34737e-007  A10= 1.53988e-009  
第9面
K =-3.63444e-002  A 4=-9.90704e-004  A 6=-4.07057e-005  A 8= 2.98845e-006  A10=-5.18895e-007  
第10面
K =-9.27098e+000  A 4= 2.30484e-004  A 6=-2.20715e-005  A 8= 2.82872e-006  A10=-4.73558e-007  
第14面
K =-6.42850e+000  A 4=-2.16901e-004  A 6= 3.06000e-005  A 8=-2.75961e-007  A10=-1.66420e-009  
第15面
K =-3.11072e+001  A 4=-6.14084e-004  A 6= 3.70592e-005  A 8=-1.51344e-007  A10=-7.21335e-009  
各種データ
ズーム比      8.61 
広角     中間     望遠
焦点距離       5.33    12.53    45.91  
Fナンバー      2.88     3.98     5.54  
画角          36.02    17.18     4.82  
像高           3.88     3.88     3.88  
レンズ全長    46.66    45.87    71.98  
BF             0.62     0.62     0.62  
d 3            0.58     8.80    35.83  
d 7           22.85     9.06     1.25  
d13            7.24    10.15    16.58  
d15            1.71     3.59     4.04  
ズームレンズ群データ
群  始面    焦点距離  
1    1      71.69  
2    4     -11.31  
3    8      10.95  
4   14      29.64  
5   16       ∞    
数値実施例  2
面データ
面番号       r        d      nd         vd
1         45.898    0.81   1.84666    23.8       19.90
2         30.944    2.74   1.69680    55.5       19.52
3          ∞     (可変)                         19.21
4*         ∞       0.81   1.97500    39.5       15.31
5*         7.255    1.74                         12.70
6*        11.905    1.94   2.23260    16.9       12.80
7*        19.187  (可変)                         12.28
8(絞り)    ∞      -0.30                          5.25
9*         4.705    1.76   1.56907    71.3        5.31
10*       -19.542    0.10                          5.04
11          6.539    1.04   1.49700    81.5        4.59
12          5.981    0.50   1.84666    23.8        3.92
13          3.339  (可変)                          3.46
14*        22.020    1.62   1.86400    40.6        7.90
15*        84.873  (可変)                          7.82
16          ∞       1.01   1.51633    64.1       15.12
17          ∞       0.61                         15.12
像面        ∞   
非球面データ
第4面
K =-2.29004e+010  A 4= 5.67493e-006  A 6=-5.85858e-007  A 8=-1.30362e-008  A10= 1.01092e-010  
第5面
K =-9.30148e-002  A 4= 6.60818e-005  A 6=-9.90112e-006  A 8= 2.72101e-007  A10=-6.56183e-009  
第6面
K = 1.57678e-001  A 4=-1.90317e-004  A 6=-2.66088e-006  A 8= 1.00735e-007  A10=-2.93178e-010  
第7面
K = 6.54142e+000  A 4=-4.56957e-004  A 6= 2.72240e-006  A 8=-1.13443e-007  A10= 1.52392e-009  
第9面
K =-4.60936e-002  A 4=-9.44676e-004  A 6=-3.43872e-005  A 8= 2.42420e-006  A10=-4.03732e-007  
第10面
K =-4.88500e+000  A 4= 2.95797e-004  A 6=-1.51988e-005  A 8= 2.18190e-006  A10=-3.62349e-007  
第14面
K =-5.79216e+000  A 4=-1.82944e-004  A 6= 2.69704e-005  A 8=-3.23792e-007  A10=-1.29687e-009  
第15面
K =-4.30036e+001  A 4=-4.98151e-004  A 6= 3.11871e-005  A 8=-1.72526e-007  A10=-7.72171e-009  
各種データ
ズーム比      8.26 
広角     中間     望遠
焦点距離       5.49    12.76    45.34  
Fナンバー      2.88     3.98     5.74  
画角          35.21    16.89     4.89  
像高           3.88     3.88     3.88  
レンズ全長    47.06    46.37    72.01  
BF             0.61     0.61     0.61  
d 3            0.59     8.96    35.30  
d 7           23.09     9.37     1.96  
d13            7.19    10.14    18.51  
d15            1.82     3.54     1.87  
ズームレンズ群データ
群  始面    焦点距離  
1    1      73.30  
2    4     -11.59  
3    8      10.99  
4   14      34.01  
5   16       ∞   
数値実施例  3
面データ
面番号       r        d      nd         vd
1         71.451    0.80   2.23260    16.9       20.24
2         42.795    2.72   2.16250    34.8       19.94
3        638.118  (可変)                         19.58
4*         ∞       0.80   1.97500    39.5       15.55
5*         7.138    1.72                         12.73
6*        11.874    1.93   2.23260    16.9       12.80
7*        19.264  (可変)                         12.40
8(絞り)    ∞      -0.30                          5.12
9*         4.695    1.74   1.56907    71.3        5.18
10*       -18.742    0.10                          4.91
11          6.651    1.03   1.49700    81.5        4.48
12          6.081    0.50   1.84666    23.8        3.83
13          3.364  (可変)                          3.39
14*        16.631    1.60   1.86400    40.6        8.10
15*        47.403  (可変)                          7.97
16          ∞       1.00   1.51633    64.1       15.00
17          ∞       0.61                         15.00
像面        ∞   
非球面データ
第4面
K = 1.67060e+011  A 4= 6.88990e-006  A 6=-5.83770e-007  A 8=-9.77003e-009  A10= 8.42034e-011  
第5面
K =-1.22796e-001  A 4= 5.75453e-005  A 6=-1.05749e-005  A 8= 3.01303e-007  A10=-6.45254e-009  
第6面
K = 2.89455e-001  A 4=-1.85536e-004  A 6=-2.74600e-006  A 8= 1.08938e-007  A10=-9.20525e-010  
第7面
K = 5.59350e+000  A 4=-4.21876e-004  A 6= 3.59717e-006  A 8=-1.33854e-007  A10= 1.45291e-009  
第9面
K =-1.52245e-002  A 4=-9.99753e-004  A 6=-4.54923e-005  A 8= 3.01313e-006  A10=-5.55771e-007  
第10面
K =-8.43190e+000  A 4= 2.30099e-004  A 6=-2.68671e-005  A 8= 2.81856e-006  A10=-4.89924e-007  
第14面
K =-4.83604e+000  A 4=-2.68461e-004  A 6= 2.73962e-005  A 8=-2.80724e-007  A10=-1.59969e-009  
第15面
K =-3.38276e+001  A 4=-6.29494e-004  A 6= 3.30086e-005  A 8=-1.53280e-007  A10=-7.74916e-009  
各種データ
ズーム比      8.68 
広角     中間     望遠
焦点距離       5.30    12.39    45.99  
Fナンバー      2.88     3.99     5.74  
画角          36.18    17.37     4.82  
像高           3.88     3.88     3.88  
レンズ全長    46.67    45.60    72.60  
BF             0.61     0.61     0.61  
d 3            0.58     8.52    36.00  
d 7           22.87     9.05     1.64  
d13            7.29    10.32    18.41  
d15            1.66     3.45     2.29  
ズームレンズ群データ
群  始面    焦点距離  
1    1      72.21  
2    4     -11.38  
3    8      10.95  
4   14      28.95  
5   16       ∞ 
数値実施例  4
単位 mm
面データ
面番号       r        d      nd         vd       有効径
1         48.356    0.80   1.84666    23.8       20.40
2         31.178    2.72   1.82750    51.5       20.01
3        282.502  (可変)                         19.66
4*         ∞       0.80   1.97500    39.5       15.48
5*         7.020    1.72                         12.74
6*        11.531    1.93   2.23260    16.9       12.83
7*        18.642  (可変)                         12.39
8(絞り)    ∞      -0.30                          5.14
9*         4.660    1.74   1.56907    71.3        5.20
10*       -18.043    0.10                          4.93
11          6.719    1.03   1.49700    81.5        4.49
12          6.283    0.50   1.84666    23.8        3.84
13          3.366  (可変)                          3.40
14*        17.591    1.60   1.86400    40.6        8.01
15*        44.939  (可変)                          7.87
16         86.554    1.00   1.48749    70.2        7.85
17       1215.485  (可変)                          7.82
18          ∞       1.00   1.51633    64.1       15.00
19          ∞       0.24                         15.00
像面        ∞   
非球面データ
第4面
K = 1.67060e+011  A 4= 1.11169e-005  A 6=-6.70708e-007  A 8=-1.08573e-008  A10= 8.81393e-011  
第5面
K =-1.27415e-001  A 4= 5.78398e-005  A 6=-1.09335e-005  A 8= 2.88373e-007  A10=-6.78442e-009  
第6面
K = 2.11445e-001  A 4=-1.76942e-004  A 6=-2.78244e-006  A 8= 1.06897e-007  A10=-8.18580e-010  
第7面
K = 5.41163e+000  A 4=-4.26213e-004  A 6= 3.60067e-006  A 8=-1.34672e-007  A10= 1.54717e-009  
第9面
K =-4.65259e-002  A 4=-1.00300e-003  A 6=-4.08373e-005  A 8= 2.98727e-006  A10=-5.18893e-007  
第10面
K =-8.77817e+000  A 4= 2.28578e-004  A 6=-2.20686e-005  A 8= 2.83465e-006  A10=-4.73552e-007  
第14面
K =-6.14373e+000  A 4=-2.32819e-004  A 6= 3.10362e-005  A 8=-2.79558e-007  A10=-1.66999e-009  
第15面
K =-1.59121e+001  A 4=-6.08060e-004  A 6= 3.71452e-005  A 8=-1.47683e-007  A10=-7.21433e-009  
各種データ
ズーム比      8.80 
広角     中間     望遠
焦点距離       5.33    12.54    46.93  
Fナンバー      2.88     3.98     5.63  
画角          36.02    17.17     4.72  
像高           3.88     3.88     3.88  
レンズ全長    47.01    46.22    72.27  
BF             0.24     0.24     0.24  
d 3            0.58     8.81    35.77  
d 7           22.89     9.13     1.41  
d13            7.37    10.11    17.43  
d15            0.78     2.77     2.27  
d17            0.50     0.50     0.50  
ズームレンズ群データ
群  始面    焦点距離  
1    1      71.09  
2    4     -11.27  
3    8      10.91  
4   14      32.57  
5   16     191.11  
6   18       ∞   
【００４１】
【表１】
2012247452.tif 000003
【符号の説明】
【００４２】
1   Ｌ１    第１レンズ群
2   Ｌ２    第２レンズ群
3   Ｌ３    第３レンズ群
4   Ｌ４    第４レンズ群
5   ＳＰ    絞り
6   Ｇ      ガラスブロック
7   ＩＰ    像面
8   *       非球面
9   ｄ      ｄ線
10  ｇ      ｇ線
11  ΔＳ    サジタル像面
12  ΔＭ    メリディオナル像面
【図１】
2012247452.tif 000004
【図２】
2012247452.tif 000005
【図３】
2012247452.tif 000006
【図４】
2012247452.tif 000007
【図５】
2012247452.tif 000008
【図６】
2012247452.tif 000009
【図７】
2012247452.tif 000010
【図８】
2012247452.tif 000011
【図９】
2012247452.tif 000012
【図１０】
2012247452.tif 000013
【図１１】
2012247452.tif 000014
【図１２】
2012247452.tif 000015